(57)【要約】【課題】配管等を伝って泥棒が住宅やビルの内部に侵入することを防止し、容易に取り外すことができず、かつシンプルな構成で、コストの低いしのび返しを提供することである。【解決手段】住宅やビルの外壁に沿って縦方向に配設されたパイプの外周面にほぼ隙間なく取り付けられるように湾曲した第１基部および第２基部、および前記第１基部および第２基部それぞれから延設され、鋭利な尖端を有する複数の剣からなるしのび返しであって、前記第１基部の一端と前記第２基部の一端とが係合され、前記第１基部の一端と前記第２基部の一端とが係合された状態で、前記パイプに装着しうるように前記第１基部の他端と前記第２基部の他端とが離間することができ、前記第１基部の他端に前記第２基部の他端が固着されてなることを特徴としている。【選択図】図１
0003112834.tif 000002
【実用新案登録請求の範囲】
【請求項１】
住宅やビルの外壁に沿って縦方向に配設されたパイプの外周面にほぼ隙間なく取り付けられるように湾曲した第１基部および第２基部、および
前記第１基部および第２基部それぞれから延設され、鋭利な尖端を有する複数の剣
からなるしのび返しであって、
前記第１基部の一端と前記第２基部の一端とが係合され、前記第１基部の一端と前記第２基部の一端とが係合された状態で、前記パイプに装着しうるように前記第１基部の他端と前記第２基部の他端とが離間することができ、
前記第１基部の他端に前記第２基部の他端が固着されてなる
ことを特徴とするしのび返し。
【請求項２】
前記第１基部の一端と前記第２基部の一端とが、しのび返しの使用状態において取り外し不能に係合する係合手段によって係合され、前記第１基部の他端に前記第２基部の他端が締付可能かつ取り外し不能に固着する固着手段により固着されてなる請求項１記載のしのび返し。
【請求項３】
前記係合手段が、第１基部の一端に設けられた長孔と短孔とを有する略十字状に穿設された係合孔と、前記第２基部の他端に幅狭の首を介して設けられた幅広の係合片とからなり、前記係合片の幅が係合孔の長孔の長手方向の長さより僅かに短く、前記首の幅が前記係合孔の短孔の長さより僅かに短い請求項２記載のしのび返し。
【請求項４】
前記固着手段が、前記第１基部の他端と第２基部の他端を同軸状に貫通する締付可能かつ取り外し不能なネジと、該ネジと螺合し、前記第２基部の他端に設けられた係止片により回転を不能にされたナットからなる請求項２または３記載のしのび返し。
【請求項５】
前記係止片が前記ナットの外形形状の一部または全体と当接する請求項４記載のしのび返し。
【請求項６】
前記複数の剣が、パイプの外周面から離れるように上方に延びる剣と、パイプの外周面から離れるように下方に延びる剣とからなる請求項１、２、３、４または５記載のしのび返し。
【請求項７】
前記第１基部の少なくとも一端と前記第２基部の少なくとも一端に剣先が形成されてなる請求項１、２、３、４、５または６記載のしのび返し。
【考案の詳細な説明】
【技術分野】
【０００１】
本考案はしのび返しに関する。さらに詳しくは、住宅やビルの外壁に沿って縦方向に配設されたパイプの外周面にほぼ隙間なく取り付けられるように湾曲した帯状の第１基部および第２基部それぞれから延設され、鋭利な尖端を有する複数の剣を備えたしのび返しに関する。
【背景技術】
【０００２】
塀やベランダの手摺、アルミサッシの垣根等の上端部に固定連設し、支台上部に複数の突出片を設けて建物の外から猫、泥棒 等の外敵の侵入を防ぐ外敵侵入防止具が特許文献１に開示されている。
【０００３】
しかし、一般の住宅における樋（とい）の排水管や、ビルやマンションなどの外壁に沿うように縦向きに配設された上下水道用配管を伝って侵入する泥棒の侵入防止としては、鉄条網を配管外面にまきつける程度の対策しかないのが現状である。
【０００４】
【特許文献１】特開２００３−３２８５９９
【考案の開示】
【考案が解決しようとする課題】
【０００５】
本考案は、樋の排水管のみならず、ビルやマンションなどの外壁に沿って縦向きに配設された上下水道管（以下、配管等という）に取り付けて、配管等を伝って泥棒が住宅やビルの内部に侵入することを防止し、容易に取り外すことができず、かつシンプルな構成で、コストの低いしのび返しを提供することを目的とする。
【課題を解決するための手段】
【０００６】
本考案は、住宅やビルの外壁に沿って縦方向に配設されたパイプの外周面にほぼ隙間なく取り付けられるように湾曲した第１基部および第２基部、および
前記第１基部および第２基部それぞれから延設され、鋭利な尖端を有する複数の剣
からなるしのび返しであって、
前記第１基部の一端と前記第２基部の一端とがて係合され、前記第１基部の一端と前記第２基部の一端とが係合された状態で、前記パイプに装着しうるように前記第１基部の他端と前記第２基部の他端とが離間することができ、
前記第１基部の他端に前記第２基部の他端が固着されてなる
ことを特徴としている。
【０００７】
また、前記第１基部の一端と前記第２基部の一端とが、しのび返しの使用状態において取り外し不能に係合する係合手段によって係合され、前記第１基部の他端に前記第２基部の他端が締付可能かつ取り外し不能に固着する固着手段により固着されてなることが好ましい。
【０００８】
また、前記係合手段が、第１基部の一端に設けられた長孔と短孔とを有する略十字状に穿設された係合孔と、前記第２基部の他端に幅狭の首を介して設けられた幅広の係合片とからなり、前記係合片の幅が係合孔の長孔の長手方向の長さより僅かに短く、前記首の幅が前記係合孔の短孔の長さより僅かに短いことが好ましい。
【０００９】
また、前記固着手段が、前記第１基部の他端と第２基部の他端を同軸状に貫通する締付可能かつ取り外し不能なネジと、該ネジと螺合し、前記第２基部の他端に設けられた係止片により回転を不能にされたナットからなることが好ましい。
【００１０】
また、前記係止片が前記ナットの外形形状の一部または全体と当接することが好ましい。
【００１１】
また、前記複数の剣が、パイプの外周面から離れるように上方に延びる剣と、パイプの外周面から離れるように下方に延びる剣とからなることが好ましい。
【００１２】
また、前記第１基部の少なくとも一端と前記第２基部の少なくとも一端に剣先が形成されてなることが好ましい。
【考案の効果】
【００１３】
本考案の請求項１にかかわるしのび返しによれば、住宅やビルの外壁に沿って縦方向に配設されたパイプの外周面にほぼ隙間なく取り付けられるように湾曲した帯状の第１基部および第２基部それぞれから延設され、鋭利な尖端を有する複数の剣を備えているので、配管等を伝って泥棒が住宅やビルの内部に侵入することを防止することができる。
【００１４】
また、本考案の請求項１にかかわるしのび返しによれば、第１基部の一端と第２基部の一端とが係合され、前記第１基部の一端と前記第２基部の一端とが係合された状態で、前記パイプに装着しうるように前記第１基部の他端と前記第２基部の他端とが離間することができ、第１基部の他端に第２基部の他端が固着されるので、容易に取り外すことができず、かつシンプルな構成で、コストの低いしのび返しを提供することができる。
【００１５】
また、本考案の請求項２にかかわるしのび返しによれば、前記第１基部の一端と前記第２基部の一端とが、しのび返しの使用状態において取り外し不能に係合する係合手段によって係合され、前記第１基部の他端に前記第２基部の他端が締付可能かつ取り外し不能に固着する固着手段により固着されるので、しのび返し自体を破壊しない限り取り外すことができず、かつシンプルな構成で、コストの低いしのび返しを提供することができる。
【００１６】
また、本考案の請求項３にかかわるしのび返しによれば、係合手段が、第１基部の一端に設けられた長孔と短孔とを有する略十字状に穿設された係合孔と、第２基部の他端に幅狭の首を介して設けられた幅広の係合片とからなる構成を有しており、請求項３にかかわるしのび返しによれば、係合片の幅が係合孔の長孔の長手方向の長さより僅かに短く、首の幅が係合孔の短孔の長さより僅かに短い。このため、配管等へのしのび返しの取りつけに先立ち、第１基部の一端に設けられた係合孔の長孔に第２基部の係合片を挿入し、首部に達したところで第２基部の軸線の回りに回転させるだけで第１および第２基部の一端同士を確実に係合することができ、かつ一端係合すると、再び軸線回りに第２基部を回転させない限り取り外すことができない。そのうえ、第１および第２基部の他端同士を離間させて開くことができるため、配管等へのしのび返しの装着を容易にすることができる。
【００１７】
また、本考案の請求項４にかかわるしのび返しによれば、固着手段が、第１基部の他端と第２基部の他端を同軸状に貫通する締付可能かつ取り外し不能なネジと、該ネジと螺合し、第２基部の他端に設けられた係止片により回転を不能にされたナットからなるため、一端固着された第１基部の他端と第２基部の他端同士は破壊しない限り分離することができない。
【００１８】
また、本考案の請求項５にかかわるしのび返しによれば、係止片がナットの外形形状一部または全体と当接するため、ネジをナットと螺合させるときに、ペンチなどの道具を用いなくても指で軽く押さえておくだけでネジを容易に締め付けることができる。
【００１９】
また、本考案の請求項６にかかわるしのび返しによれば、複数の剣が、パイプの外周面から離れるように上方に延びる剣と、パイプの外周面から離れるように下方に延びる剣とからなるため、配管等を伝って泥棒が住宅やビルの内部に侵入することをより確実に防止することができる。
【００２０】
また、本考案の請求項７にかかわるしのび返しによれば、第１基部の少なくとも一端と第２基部の少なくとも一端に剣先が形成されてなるため、配管等を伝って泥棒が住宅やビルの内部に侵入することをより確実に防止することができる。
【考案を実施するための最良の形態】
【００２１】
本考案の実施の形態にかかわるしのび返しを添付図面を参照しながら以下に詳細に説明する。
【００２２】
図１は本考案の実施の形態にかかわるしのび返しを示す斜視図、図２は図１のしのび返しの側面図、図３は図１のしのび返しの底面図、図４は図１のしのび返しの背面図、図５の（ａ）は本考案のしのび返しの第１基部の一端の構造を示す説明図であり、（ｂ）は本考案のしのび返しの第１基部の一端と第２基部の一端の関係を示す説明図、図６は本考案のしのび返しを配管等に取り付けた状態を示す説明図である。
【００２３】
図１〜６を参照すると、本実施の形態のしのび返し１は、住宅やビルの外壁に沿って縦方向に配設されたパイプＰ（図６参照）の外周面にほぼ隙間なく取り付けられるように湾曲した帯状の第１基部２ａおよび第２基部２ｂ（図３参照）と、第１基部２ａおよび第２基部２ｂそれぞれから延設され、鋭利な尖端を有する複数の剣３、４から構成される。第１基部２ａおよび第２基部２ｂは帯状に限られることはなく、紐状など当業者に自明な修正、変更、変形は本考案に含まれる。また、しのび返し１の材質としては、堅牢性と破壊しにくいものであれば特に限定されないが、金属材料が好適に採用される。
【００２４】
第１基部２ａの一端と第２基部２ｂの一端とは、しのび返し１の使用状態（すなわち、図６に示されるように配管等Ｐに取付けられた状態）において取り外し不能に係合する係合手段（６、６ａ、６ｂ、７、７ａ）（図５（ｂ）参照）によって係合される。
【００２５】
本実施の形態において係合手段６、６ａ、６ｂ、７、７ａ）は、第１基部２ａの一端７（図３参照）に設けられた長孔と短孔とを有する略十字状に穿設された係合孔７ａ（図５（ｂ）参照）と、第２基部２ｂの他端Ｓｂ（図３参照）に幅狭の首６ｂ（図５（ｂ）参照）を介して設けられた幅広の係合片６ａ（図５（ｂ）参照）とから構成される。そして、図５（ｂ）に示されるように、係合片６ａの幅Ｗ１ａは係合孔７ａの長孔の長手方向の長さＷ１より僅かに短く、首６ｂの幅Ｗ２ａは係合孔７ａの短孔の長さＷ２より僅かに短い。
【００２６】
さらに図５（ｂ）を参照すると、第１基部２ａ（図３参照）の一端（端部）７に穿設された十字状の係合孔７ａの長手方向の長さＷ１を有する長孔に第２基部（図３参照）の幅Ｗ１ａの幅広の係合片６ａを水平にした状態で挿入し、幅Ｗ２ａの幅狭の首６ｂに達したところで、軸心ＣＬの回りに９０度回転させると、第１基部２ａの一端７（図３参照）と第２基部２ｂの一端６（端部）（図３参照）との係合が完了する。
【００２７】
その結果、図５（ｂ）に示されるように、首６ｂは係合孔７ａの短孔（長さがＷ２の孔）内で移動可能であるので、第１基部２ａの一端７（図３参照）と第２基部２ｂの一端６（図３参照）とが係合された状態（すなわち、仮止めの状態）で、第１基部２ａの他端Ｓａ（図３参照）と前記第２基部の他端Ｓｂ（図３参照）とが離間することができる。これにより、第１基部２ａの一端７（図３参照）と第２基部２ｂの一端６（図３参照）との係合を維持しつつ、パイプ等Ｐに装着し易いという優れた効果を奏する。
【００２８】
このように、第１基部２ａの一端７（図３参照）と第２基部２ｂの一端６（図３参照）とが係合されると、つぎに、第１基部２ａの他端Ｓａ（図３参照）に第２基部２ｂの他端Ｓｂ（図３参照）を締付可能かつ取り外し不能の固着手段（８、８ａ、８ｂ、９）により固着する。
【００２９】
本実施の形態において固着手段（８、８ａ、８ｂ、９）は、第１基部２ａの他端７（図３参照）と第２基部２ｂの他端６（図３参照）を同軸状に貫通する締付可能かつ取り外し不能なネジ８（図２参照）と、ネジ８と螺合するナット９から構成される（図２参照）。締付可能かつ取り外し不能なネジとしては、たとえば、図３に示されるように、ネジ頭８ａが加工されたものが知られており市場で入手することができる。
【００３０】
図２を参照すると、第２基板２ｂの端部に、ナット９の外形（正方形）と当接する上下２箇所に設けられた係止片１０（図４参照）により回転を不能にされる。係止片１０はナット９の外形（正方形）と当接する上下２箇所に限られることはない。たとえば、ナット９の外形（正方形）の１辺（１箇所）と当接するようにしてもよいし、ナット９の外形の３辺または４辺と当接するようにしてもよい。さらに、ナット９の外形は正方形に限られず、たとえば、六角のものであってもよい。要は、係止片１０がナット９の外形形状の一部または全体と当接すればよいのである。
【００３１】
また、図１および３を参照すると、本実施の形態のしのび返し１の場合、パイプ等に取り付けた際に、パイプ等の外周面から離れるように上方に延びる複数の剣３と、パイプ等Ｐの外周面から離れるように下方に延びる複数の剣４とを備えている。剣３、４の形状、数は図示されたものに限られない。たとえば、両刃の剣のように刃をもつもの、針のようなものなど当業者に自明な修正、変更、変形は本考案に含まれる。
【００３２】
さらに、図２に示されるように、第１基部２ｂの一端（第２基部の一端も同様）に三角形状の剣先５が上下に延びるように形成されている。剣先５は上方だけまたは下方だけに延びるようにしてもよく、かかる構造をもつものも本考案に含まれる。また、剣先５の形状も図示されたものに限られることはなく、たとえば二等辺三角形、正三角形、三日月状など当業者に自明な修正、変更、変形は本考案に含まれる。
【図面の簡単な説明】
【００３３】
【図１】本考案の実施の形態にかかわるしのび返しを示す斜視図である。
【図２】図１のしのび返しの側面図である。
【図３】図１のしのび返しの底面図である。
【図４】図１のしのび返しの背面図である。
【図５】（ａ）は本考案のしのび返しの第１基部の一端の構造を示す説明図であり、（ｂ）は本考案のしのび返しの第１基部の一端と第２基部の一端の関係を示す説明図である。
【図６】本考案のしのび返しを配管等に取り付けた状態を示す説明図である。
【符号の説明】
【００３４】
１    しのび返し
２ａ  第１基部
２ｂ  第２基部
３、４    剣
５    剣先
６    端部
６ａ  係合片
６ｂ  首
７    端部
７ａ  係合孔
８    ネジ
８ａ  ネジ頭
８ｂ  雄ねじ部
９    ナット
１０    係止片
Ｓａ、Ｓｂ  端部
【図１】
0003112834.tif 000003
【図２】
0003112834.tif 000004
【図３】
0003112834.tif 000005
【図４】
0003112834.tif 000006
【図５】
0003112834.tif 000007
【図６】
0003112834.tif 000008